(57)【要約】【課題】  スプリングの付勢力で巻取るスクリーンを備えた横引き式のスクリーン装置において、風等の外力が作用することによるスクリーンの膨らみを抑制できるようにする。【解決手段】  スクリーン１を上下の横枠１２，１４にガイドさせた可動框２０により横引き式に開閉自在とした巻取り式スクリーン装置において、上記可動框に着脱自在に設けられ、該可動框の開閉操作に連動して上記横枠１２，１４に沿って移動し、スクリーン１の姿勢を保持する支框２６を備え、上記横枠に支框２６を可動框から離脱させるストッパ３２，３４を付設する。【選択図】        図２
2006336385.tif 000002
【特許請求の範囲】
【請求項１】
巻取軸に内蔵したスプリングの付勢力で巻取られるスクリーンを、スクリーン枠における上下の横枠にガイドさせた可動框により横引き式に開閉可能とした巻取り式スクリーン装置において、
上記可動框に着脱可能に設けられ、該可動框の開閉操作に連動して上記スクリーン枠における上下の横枠に沿って移動し、上記スクリーンの姿勢を保持する少なくとも１本の支框を備え、
上記スクリーン枠における上下の横枠に少なくとも一方に、上記支框を可動框から離脱させて停止させるストッパを付設したことを特徴とする巻取り式スクリーン装置。
【請求項２】
上記支框を、高さ寸法がスクリーンの張設方向に可動框側が順次低くなる複数の支框を連結した支框群で構成し、それぞれの支框の端部に係止して該支框を個別に停止させる複数のストッパを、その先端位置を各支框に対応させて設けたことを特徴とする請求項１に記載の巻取り式スクリーン装置。
【請求項３】
可動框からの支框の離脱及び支框相互の離脱を、可動框のスクリーンの張設方向への移動に伴って自動的に行われるものとしたことを特徴とする請求項１または２に記載の巻取り式スクリーン装置。
【請求項４】
上記支框と可動框及び上記支框群における隣接する支框相互をマグネットにより着脱可能に連結したことを特徴とする請求項３に記載の巻取り式スクリーン装置。
【請求項５】
上記ストッパをスクリーン枠の横枠に止着自在として、該横枠におけるスクリーンの開閉方向の任意位置に位置調整可能に付設したことを特徴とする請求項１または２に記載の巻取り式スクリーン装置。
【請求項６】
上記支框とストッパとの間に、該支框を上記横枠に固定し、該支框に上記可動框を保持させてスクリーンを半張設状態に保持するための固定手段を付設したことを特徴とする請求項１〜５のいずれかに記載の巻取り式スクリーン装置。
【請求項７】
上記支框を横枠に固定する固定手段を、上記ストッパに設けた凹部と、支框からストッパ方向にスライドして突出する凸子とを有するものとして、該支框における凸子を上記ストッパにおける凹部に嵌入させることにより、上記支框を横枠に対して係脱自在にしたことを特徴とする請求項６に記載の巻取り式スクリーン装置。
【請求項８】
上記支框がスクリーン枠の上下の横枠にガイドされていることを特徴とする請求項１〜７のいずれかに記載の巻取り式スクリーン装置。
【請求項９】
上記スクリーンを、その一端がスクリーン枠に固定され、他端が可動框に回転自在に支持させた巻取軸に巻取られるように構成したことを特徴とする請求項１〜８のいずれかに記載の巻取り式スクリーン装置。
【発明の詳細な説明】
【技術分野】
【０００１】
本発明は、巻取軸に内蔵したスプリングの付勢力で巻取られるスクリーンを、スクリーン枠における上下の横枠にガイドさせた可動框により横引き式に開閉可能とした巻取り式スクリーン装置に関するものである。
【背景技術】
【０００２】
巻取軸に内蔵したスプリングの付勢力で巻取られるスクリーンを、スクリーン枠における上下の横枠にガイドさせた可動框により横引き式に開閉可能とした巻取り式スクリーン装置は、特に例を挙げるまでもなく、従来より公知のものである。
【０００３】
而して、この種の巻取り式スクリーン装置では、特に間口の広い建物開口部に取り付けた場合、風が吹いているときに張設状態のスクリーンに作用する力は大きなものになってしまうため、該スクリーンが風に煽られて大きく膨らんでしまい、スクリーンを収納しようとしても巻取軸が収納されているスクリーン枠の側枠または開閉操作用の可動框内に収納することができなかったり、あるいは巻取軸にシワになったまま巻取られてしまったりすることがあり、必ずしも操作性において安定しているとはいえなかった。
如上に鑑みて、間口の広狭に拘わらず、スクリーンが風に煽られて膨らむようなことがなく、該スクリーンの開閉操作をより一層安定的に行うことができる巻取り式スクリーン装置が要望されている。
【発明の開示】
【発明が解決しようとする課題】
【０００４】
本発明の技術的課題は、巻取軸に内蔵したスプリングの付勢力で巻取られるスクリーンを、スクリーン枠における上下の横枠にガイドさせた可動框により横引き式に開閉可能とした巻取り式スクリーン装置において、間口の広狭に拘わらず、風等の外力が作用することによるスクリーンの膨らみを抑制することにより、該スクリーンを巻取軸に巻取って収納することができなかったり、あるいは巻取軸にシワになったまま巻取られてしまうのを防止し、延いてはスクリーンの開閉操作をより一層安定的に行うことができるようにした巻取り式スクリーン装置を提供することにある。
【課題を解決するための手段】
【０００５】
上記課題を解決するため、本発明は、巻取軸に内蔵したスプリングの付勢力で巻取られるスクリーンを、スクリーン枠における上下の横枠にガイドさせた可動框により横引き式に開閉可能としたき巻き取り式スクリーン装置において、上記可動框に着脱可能に設けられ、該可動框の開閉操作に連動して上記スクリーン枠における上下の横枠に沿って移動し、上記スクリーンの姿勢を保持する少なくとも１本の支框を備え、上記スクリーン枠における上下の横枠の少なくとも一方に、上記支框を可動框から離脱させて停止させるストッパを付設したことを特徴とするものである。
【０００６】
本発明の巻取り式スクリーン装置の好ましい実施形態においては、上記支框を、高さ寸法がスクリーンの張設方向に可動框側が順次低くなる複数の支框を連結した支框群で構成し、それぞれの支框の端部に係止して該支框を個別に停止させる複数のストッパを、その先端位置を各支框に対応させて設けるのが有効である。
また、可動框からの支框の離脱及び支框相互の離脱を、可動框のスクリーンの張設方向への移動に伴って自動的に行われるものとすることができ、この場合、上記支框と可動框及び上記支框群における隣接する支框相互をマグネットにより着脱可能に連結した構成とすることができる。
【０００７】
本発明の巻取り式スクリーン装置の他の好ましい実施形態においては、上記ストッパをスクリーン枠の横枠に止着自在として、該横枠におけるスクリーンの開閉方向の任意位置に位置調整可能に付設することができる。
また、上記支框とストッパとの間に、該支框を上記横枠に固定し、該支框に上記可動框を保持させてスクリーンを半張設状態に保持するための固定手段を付設することができ、この場合、上記支框を横枠に固定する固定手段は、上記ストッパに設けた凹部と、支框からストッパ方向にスライドして突出する凸子とを有するものとして、該支框における凸子を上記ストッパにおける凹部に嵌入させることにより、上記支框を横枠に対して係脱自在にした構成とすることができる。
【０００８】
さらに、上記支框はスクリーン枠の上下の横枠にガイドされている構成とするのが好ましく、また、上記スクリーンは、その一端がスクリーン枠に固定され、他端が可動框に回転自在に支持させた巻取軸に巻取られるように構成するのが好適である。
【０００９】
以上に詳述した本発明のスクリーン装置によれば、巻取軸に内蔵したスプリングの付勢力で巻取られるスクリーンを、スクリーン枠における上下の横枠にガイドさせた可動框により横引き式に開閉可能とした巻取り式スクリーン装置において、間口の広狭に拘わらず、風等の外力が作用することによるスクリーンの膨らみを抑止することにより、該スクリーンが風に煽られて巻取軸に巻取ることができなかったり、あるいは巻取軸にシワになったまま巻取られてしまうのを防止し、延いてはスクリーンの開閉操作をより一層安定的に行うことができる。
【発明を実施するための最良の形態】
【００１０】
図１〜図５は、本発明にかかる巻取り式スクリーン装置の第１実施例を示している。
この実施例の巻取り式スクリーン装置は、巻取軸に内蔵したスプリングの付勢力で巻取られるスクリーン１を、防虫、遮光、目隠し、断熱等のために主として窓や出入口等の建物開口部に取り付けて使用するもので、それらの目的に応じたスクリーン１がスクリーン枠１０における上下の横枠１２，１４にガイドさせた可動框２０により横引き式に開閉可能に配設される。
上記スクリーン枠１０は、可動框２０の上下端をガイドする上部及び下部の横枠１２，１４と、上記スクリーン１の一端を固定する受け枠としての側枠１６とを備えたものとして構成したもので、上記可動框２０に対向する側枠を備えることなく、建物開口部の開口部枠３をそのままスクリーン枠１０の一部として利用するようにしている。しかしながら、可動框２０に対向してスクリーン１の張設時に該可動框２０が当接する側枠を建物開口部の開口部枠に固定して設けることもできる。
【００１１】
上記スクリーン１は、その一端がスクリーン枠１０の側枠１６に固定されるとともに、他端が可動框（巻取りボックス）２０内に回転自在に支持させた巻取軸２２に固定され、該巻取軸２２に内蔵したスプリングの付勢力で該巻取軸２２に巻取られるように構成されており、上記スクリーン枠１０における上下の横枠１２，１４にガイドさせた上記可動框２０による開閉操作により、上記スクリーン１を横引き式に開閉可能としている。
なお、図中、１３は横枠１２におけるガイド面１２ａ上を転動して可動框２０を吊下状態で移動させるローラを示している。
【００１２】
上記可動框２０には、該可動框２０の開閉操作に連動して上記スクリーン枠１０における上下の横枠１２，１４に沿って移動する支框２６が着脱可能に設けられている。
該支框２６は、図４および図５に明確に示すように、建物開口部の上下の開口部枠間において、スクリーン枠１０の上下の横枠１２，１４にそれぞれ付設したレール１２Ａ，１４Ａにその上下端をガイドさせており、図１及び図２に示すように、該可動框２０内の巻取軸２２からスクリーン１が繰り出される方向に鉤形に折曲したマグネットベース２８の先端にマグネット２９を付設するとともに、上記支框２６におけるマグネット２９に対向する面に強磁性の吸着板３０を付設することにより、上記支框２６と可動框２０とを着脱可能に連結している。なお、上記支框２６と可動框２０との着脱は、マグネットによることなく、弾性的な係脱手段等を用いることができる。また、この実施例では、上記横枠１２，１４に付設したレール１２Ａ，１４Ａを該横枠と別体に形成した場合について記載しているが、該レールを横枠に一体的に形成した構成とすることもできる。図中、１３Ａは支框２６の上端にレール１２Ａ上を転動するように設けたローラを示している。
【００１３】
更に、上記上下の横枠１２，１４に付設したレール１２Ａ，１４Ａには、図５に詳細に示すように、上記支框２６を可動框２０から離脱させて停止させるストッパ３２，３４がそれぞれ付設されている。これらのストッパ３２，３４は、それぞれ上記レール１２Ａ，１４Ａに着脱自在に付設されており、該レール１２Ａ，１４Ａにおけるスクリーン１の開閉方向の任意位置に位置調整可能にすることができる。なお、上記ストッパ３２，３４は、必ずしも上下のレール１２Ａ，１４Ａに付設する必要はなく、該レール１２Ａ，１４Ａのいずれか一方に設けた構成とすることもできる。
【００１４】
さらに、上記支框２６とストッパ３２，３４との間には、該支框２６を上記横枠１２，１４に対して固定する固定手段３５が設けられており、それにより該支框２６に上記可動框２０をマグネット２９の磁力で保持させて上記スクリーン１を半張設状態に保持することができるようにしている。より具体的には、該固定手段３５は、上記ストッパ３２，３４にそれぞれ設けた凹部３２ａ，３４ａに、上記支框２６の上下端部に付設されたロック機構３６，３８における凸子３６ａ，３８ａをそれぞれ上記ストッパ３２，３４の方向にスライドして突出させ、該凸子３６ａ，３８ａを上記ストッパ３２，３４における凹部３２ａ，３４ａに嵌入させることにより、上記支框２６を上下の横枠１２，１４に対して係脱自在としている。なお、上記固定手段３５は、上記ストッパ３２，３４をレール１２Ａ，１４Ａのいずれか一方に設けた場合には、それに対応する位置にのみ設ければいいのは言うまでもない。
【００１５】
上記構成を有する巻取り式スクリーン装置は、スクリーン１を全て巻取った建物開口部の開放状態において、可動框２０の操作によりスクリーン１を徐々に繰り出しながら張設していくと、上記横枠１２，１４におけるレール１２Ａ，１４Ａに付設したストッパ３２，３４において、支框２６が可動框２０のマグネットベース２８から自動的に離脱して停止する。このように、上記支框２６をスクリーン枠１０の側枠１６と可動框２０との間の中間位置において停止させることにより、風等の外力が作用することによるスクリーン１の膨らみを抑止することができるので、可動框２０を操作して巻取軸２２にスクリーン１を巻取る際に、該スクリーン１が風に煽られて巻取軸２２に巻取ることができなかったり、あるいは巻取軸２２にシワになったまま巻取られてしまうのを防止することができる。
【００１６】
また、上記支框２６を、上記ストッパ３２，３４において固定手段３５で上記横枠１２，１４に対して固定することにより、該支框２６に上記可動框２０を保持させて上記スクリーン１を半張設状態に保持することができる。このように構成することにより、建物開口部を開閉するガラス戸等の障子を半開した状態で、その開放部分に上記スクリーン１を張設することができる。なお、上記実施例では、支框をスクリーン１の一面側に設けるようにしているが、該スクリーン１の他面側または両面側に設けることもできる。該スクリーン１の他面側に支框を設ける場合には、それを可動框２０にマグネット等で直接保持させればよい。
【００１７】
次に、図６〜８は、本発明の巻取り式スクリーン装置の第２実施例を示している。
この実施例の巻取り式スクリーン装置は、主たる構成は前記第１実施例と同様であるが、図６に示すように、スクリーン１の姿勢を保持するための支框を、高さ寸法がスクリーン１の張設方向に可動框２０側が順次低くなる複数の支框５６Ａ，５６Ｂを連結した支框群で構成したもので、該支框５６Ａ，５６Ｂの上端をガイドするレール１２Ａには、支框５６Ａの上端部に係止して該支框５６Ａを支框５６Ｂから離脱させて停止させるストッパ６２Ａを設け、また、レール１２Ａ，１４Ａには支框５６Ｂの端部に係止して該支框５６Ｂを可動框２０のマグネットベース２８から離脱させて停止させるストッパ６２Ｂ，６４Ｂを設け、それぞれのストッパ６２Ａ，６２Ｂの先端位置を各支框５６Ａ，５６Ｂの上端に対応させて設けている。
【００１８】
上記支框群を構成する支框５６Ａ，５６Ｂと可動框２０とは、図６に示すように、該可動框２０のマグネットベース２８におけるマグネット２９と、上記支框５６Ｂにおける上記マグネット２９に対向する面に付設された強磁性の吸着板６０ｂとにより着脱可能に連結されており、一方、上記支框５６Ａと支框５６Ｂとは、該支框５６Ｂにおける吸着板６０ｂを付設した面とは反対側の面に付設したマグネット５９と、上記支框５６Ａにおけるマグネット５９に対向する面に付設された強磁性の吸着板６０ａとにより着脱可能に連結されている。
【００１９】
なお、上記支框群を構成する支框５６Ａ，５６Ｂを可動框２０から個別に離脱させて停止させるため、すなわち、上記支框５６Ａをストッパ６２Ａにおいて支框５６Ｂから離脱させる際に、該支框５６Ｂを伴って可動框２０のマグネットベース２８から離脱しないようにするため、該マグネットベース２８におけるマグネット２９の磁力を上記支框５６Ｂにおけるマグネット５９の磁石よりも強くするか、あるいはマグネットベース２８におけるマグネット２９の数を、支框５６Ｂにおけるマグネット５９のそれよりも多くするなど、上記支框群を構成する支框５６Ａ，５６Ｂと可動框２０との間の相互の吸着力を適宜調整するのが好ましい。
上述した第２実施例の態様は、支框の数が相違するのみでその他の構成は前記第１実施例の場合と実質的に相違するところがないので、その説明を省略する。
【００２０】
上記第２実施例においては、支框５６Ａのストッパ６２Ａを、レール１２Ａの内壁１２Ｂを切除してその切除端に形成しているのが、図９に示すように、レール１２Ｃの内側の任意位置にストッパ６２Ａをねじ止めすることもでき、さらに、該ストッパをレール１２Ｃの内壁に沿って無段階的に移動自在に固定することもできる。
【００２１】
このように、複数の支框を設けると、間口の広い部分に張設するスクリーンの風等による膨れを防止することができる。
【図面の簡単な説明】
【００２２】
【図１】本発明に係る巻取り式スクリーン装置の第１実施例の水平断面図である。
【図２】同装置におけるスクリーンの半張設状態を示す水平断面図である。
【図３】同斜視図である。
【図４】上記実施例における側断面図である。
【図５】上記実施例における支框の構成を説明する部分破断正断面図である。
【図６】本発明に係る巻取り式スクリーン装置の第２実施例における支框群及び可動框の構成を説明する水平断面図である。
【図７】上記実施例における支框群の構成を説明する正断面図である。
【図８】上記実施例における支框の側面図である。
【図９】上記第２実施例の変形例を示す正断面図である。
【符号の説明】
【００２３】
１    スクリーン
１０    スクリーン枠
１２，１４    横枠
２０    可動框
２２    巻取軸
２６，５６Ａ，５６Ｂ    支框
２９，５９    マグネット
３２，３４，６２Ａ，６２Ｂ，６４Ａ，６４Ｂ    ストッパ
３２ａ，３４ａ    凹部
３５    固定手段
３６ａ，３８ａ    凸子
【図１】
2006336385.tif 000003
【図２】
2006336385.tif 000004
【図３】
2006336385.tif 000005
【図４】
2006336385.tif 000006
【図５】
2006336385.tif 000007
【図６】
2006336385.tif 000008
【図７】
2006336385.tif 000009
【図８】
2006336385.tif 000010
【図９】
2006336385.tif 000011